(57)【要約】【課題】短時間、かつ小さな力で床面のあらゆる方向に工作機械を移動可能な工作機械用移動台車を提供する。【解決手段】工作機械８１を移動可能な工作機械用移動台車１である。この移動台車１は、床面１００に載置され、転動面１１を有するケース１０と、ケース１０内に収納される台座１５と、ケース１０と台座１５との間に挟持され、台座１５を転動面１１上において自由に移動可能にする複数のボール１８と、台座１５上に配置され、工作機械８１を支持可能な支持面２１ａと、を備える。【選択図】  図２
2009214209.tif 000002
【特許請求の範囲】
【請求項１】
床面に載置され、転動面を有するケースと、
該ケース内に収納される台座と、
前記ケースと前記台座との間に挟持され、前記台座を前記転動面上において自由に移動可能にする複数のボールと、
前記台座上に配置され、工作機械を支持可能な支持面と、を備えることを特徴とする工作機械用移動台車。
【請求項２】
請求項１において、
前記台座上には工作機械を昇降可能なジャッキボルトが配置され、該ジャッキボルトの上面が前記支持面となっていることを特徴とする工作機械用移動台車。
【請求項３】
請求項１又は２において、
前記転動面の外周には壁部が一体として立設され、該壁部には前記台座を押圧して移動可能な調整ボルトが設けられていることを特徴とする工作機械用移動台車。
【請求項４】
請求項１乃至３のいずれか１項において、
前記ケースの上部には、前記台座及び前記ボールの脱落を防止する上蓋が設けられていることを特徴とする工作機械用移動台車。
【発明の詳細な説明】
【技術分野】
【０００１】
本発明は、工作機械の据付けに用いられる工作機械用移動台車に関する。
【背景技術】
【０００２】
一般に、重量のある工作機械を床面の所定の位置に据付けるのは長時間を要していた。従来のトランスファマシンの据付けの例を図４に示す。まず、ジャッキ９０上に工作機械８０を配置し、工作機械８０の位置決め及び高さ調整を行って工作機械８０を床面１００上に据付ける。次に、ジャッキ９１上に工作機械８１を配置し、複数の円柱状のローラを有する補助具９２を工作機械８１の下に入れる。そして、バール９３を用いて工作機械８１が工作機械８０に対して所定の位置になるまで微調整を行う。このように、トランスファマシンにおいては、工作機械の間に高速搬送装置が設けられているため、各工作機械を所定の位置に正確に配置する必要があり、その据付けには長時間を要していた。
【０００３】
これに対し、特許文献１に記載されたトランスファマシンが提案されている。このトランスファマシンは、床面に固定されたガイドレールに案内される案内部材を工作機械のベッドの底面に設け、工作機械をガイドレール上で移動させるものである。
【０００４】
このトランスファマシンによれば、ガイドレールにより工作機械を容易に移動させることができ、短時間で工作機械の据付けが可能である。
【特許文献１】特開２０００−７９５４０号公報
【発明の開示】
【発明が解決しようとする課題】
【０００５】
しかし、上記特許文献１に載のトランスファマシンでは、ガイドレールから外れた工作機械の移動が困難であり、自由な工作機械の移動ができない。また、このトランスファマシンでは、ガイドレールや案内部材を設けなければならず、コストが高騰化する。
【０００６】
本発明は係る従来の問題点に鑑みてなされたものであり、短時間、かつ小さな力で床面のあらゆる方向に工作機械を移動可能な工作機械用移動台車を提供するものである。
【課題を解決するための手段】
【０００７】
上記の課題を解決するために、請求項１に係る工作機械用移動台車の特徴は、床面に載置され、転動面を有するケースと、該ケース内に収納される台座と、前記ケースと前記台座との間に挟持され、前記台座を前記転動面上において自由に移動可能にする複数のボールと、前記台座上に配置され、工作機械を支持可能な支持面と、を備えることである。
【０００８】
請求項２に係る工作機械用移動台車の特徴は、請求項１において、前記台座上には工作機械を昇降可能なジャッキボルトが配置され、該ジャッキボルトの上面が前記支持面となっていることである。
【０００９】
請求項３に係る工作機械用移動台車の特徴は、請求項１又は２において、前記転動面の外周には壁部が一体として立設され、該壁部には前記台座を押圧して移動可能な調整ボルトが設けられていることである。
【００１０】
請求項４に係る工作機械用移動台車の特徴は、請求項１乃至３のいずれか１項において、前記ケースの上部には、前記台座及び前記ボールの脱落を防止する上蓋が設けられていることである。
【発明の効果】
【００１１】
請求項１に係る工作機械用移動台車においては、工作機械を支持可能な支持面を有する台座がケース内に収納され、この台座とケースとの間には複数のボールが挟持されている。ボールの転がり摩擦力は小さいため、小さな力で台座を動かすことができる。また、ボールがケースの転動面上を自由に転がることができるため、台座をあらゆる方向に移動させることができる。したがって、この工作機械用移動台車によれば、短時間、かつ小さな力で床面のあらゆる方向に工作機械を移動可能である。なお、この工作機械用移動台車では、ガイドレールや案内部材を設ける必要がなく、コストの低廉化を実現することができる。
【００１２】
請求項２に係る工作機械用移動台車においては、台座上には工作機械を昇降可能なジャッキボルトが配置され、ジャッキボルトの上面が工作機械を支持可能な支持面となっているため、床面と工作機械のベッドの底面との間に工作機械用移動台車を入れた後、ジャッキボルトを操作して工作機械を床面から持ち上げることができ、クレーンやフォークリフト等を使用する必要がない。
【００１３】
請求項３に係る工作機械用移動台車においては、転動面の外周には壁部が一体として立設され、台座を押圧して移動可能な調整ボルトがケースの壁部に設けられているため、この調整ボルトを操作することにより、台座をあらゆる方向に容易に移動させることができる。
【００１４】
請求項４に係る工作機械用移動台車においては、ケースの上部には、台座及びボールの脱落を防止する上蓋が設けられているため、工作機械用移動台車の運搬等が容易になる。
【発明を実施するための最良の形態】
【００１５】
本発明に係る工作機械用移動台車を具体化した実施形態を図面に基づいて以下に説明する。図１は移動台車１の正面図であり、図２は移動台車１の断面図である。図１及び図２に示すように、移動台車１は、ケース１０、上蓋１３、台座１５、ボール１８、ジャッキボルト２０及び調整ボルト３０〜３７を備えている。
【００１６】
ケース１０は、四角形の転動面１１と、転動面１１の外周に一体として立設された壁部１２とを有しており、壁部１２の上部には上蓋１３が固定されている。この上蓋１３は、後述する台座１５が転動面１１上において移動できるように、中央部分が開いている。これら転動面１１、壁部１２及び上蓋１３により空間１０ａが形成され、台座１５及びボール１８が空間１０ａ内に収納されている。
【００１７】
台座１５は、四角柱状の台座本体１６と、台座本体１６の中央部から軸方向と垂直に伸びるフランジ部１７とを有している。このフランジ部１７の転動面１１側には凹部１７ａが形成され、凹部１７ａ内に鋼球からなるボール１８が配置されることにより、ボール１８がケース１０と台座１５との間に挟持される。これにより、台座１５は転動面１１上において自由に移動可能にされている。
【００１８】
台座１５の上部にはジャッキボルト２０が配置されている。ジャッキボルト２０はボルト２１とナット２２とから構成され、ボルト２１の上面は工作機械を支持可能な支持面２１ａとなっている。また、台座本体１６の上部から軸方向に雌ねじが形成されたねじ孔１６ａが穿設され、ボルト２１には、この雌ねじと螺合する雄ねじが形成されている。これにより、ナット２２を回転させてボルト２１を昇降させ、工作機械を昇降させることができる。
【００１９】
図１に示すように、壁部１２には調整ボルト３０〜３７が壁部１２と垂直に設けられており、各調整ボルト３０〜３７にはナット３０ａ〜３７ａが螺合している。これらの調整ボルト３０〜３７により、台座１５をあらゆる方向に容易に移動させることができる。例えば、図１において、すべての調整ボルト３０〜３７をある程度引き出しておき、調整ボルト３４、３５を押し込むことにより、台座１５を図面上方向に移動させることができる。反対に、調整ボルト３０、３１を押し込むことにより、台座１５を図面下方向に移動させることができる。また、調整ボルト３６、３７を押し込むことにより、台座１５を図面右方向に移動させることができる。反対に、調整ボルト３２、３３を押し込むことにより、台座１５を図面左方向に移動させることができる。さらに、調整ボルト３１、３３、３５、３７の少なくとも１つを押し込むことにより、台座１５を右回転させることができる。これに対し、調整ボルト３０、３２、３４、３６の少なくとも１つを押し込むことにより、台座１５を左回転させることができる。
【００２０】
以上の構成をした移動台車１を用いたトランスファマシンの据付けの手順を図３により説明する。ただし、図４に示す従来のトランスファマシンと同様の構成については同じ符号を用いることとする。まず、３個のジャッキ９０上に工作機械８０を配置し、工作機械８０の位置決め及び高さ調整を行って工作機械８０を床面１００上に据付ける。次に、３個のジャッキ９１上に工作機械８１を配置し、仮水準の高さ調整を行った後、４個の移動台車１を工作機械８１のベッドの底面と床面１００との間の４箇所に入れる。
【００２１】
そして、ナット２２を回転させてボルト２１を上昇させ、工作機械８１をジャッキ９１から浮かせ（１ｍｍ程度）、工作機械８１が所定の位置に配置されるように調整ボルト３０〜３７を調整する。工作機械８１が所定の位置に配置された後、工作機械８０と工作機械８１とを接続するとともに高速搬送装置（図示なし）を取付ける。その後、ナット２２を回転させてボルト２１を下降させ、工作機械８１を３個のジャッキ９１で支える。そして、４個の移動台車１を工作機械８１の底面と床面１００との間から取り出した後、工作機械８１の高さを微調整して工作機械８１の床面１００への据付けが完了する。
【００２２】
実施形態に係る工作機械用移動台車１においては、工作機械８１を支持可能な支持面２１ａを有する台座１５がケース１０内に収納され、この台座１５とケース１０との間には複数のボール１８が挟持されている。ボール１８の転がり摩擦力は小さいため、小さな力で台座１５を動かすことができる。また、ボール１８がケース１０の転動面１１上を自由に転がることができるため、台座１５をあらゆる方向に移動させることができる。したがって、この移動台車１によれば、短時間、かつ小さな力で床面１００のあらゆる方向に工作機械８１を移動可能である。
【００２３】
また、この移動台車１においては、台座１５上には工作機械８１を昇降可能なジャッキボルト２０が配置され、ジャッキボルト２０の上面が工作機械８１を支持可能な支持面２１ａとなっているため、床面１００と工作機械８１のベッドの底面との間に移動台車１を入れた後、ジャッキボルト２０を操作して工作機械８１を床面１００から持ち上げることができ、クレーンやフォークリフト等を使用する必要がない。
【００２４】
さらに、この移動台車１においては、台座１５を押圧して移動可能な調整ボルト３０〜３７がケース１０の壁部１２に設けられているため、この調整ボルト３０〜３７を操作することにより、台座１５をあらゆる方向に容易に移動させることができる。
【００２５】
また、この移動台車１においては、ケース１０の壁部１２の上部には、台座１５及びボール１８の脱落を防止する上蓋１３が設けられているため、移動台車１の運搬等が容易になる。
【００２６】
なお、本実施形態においては、台座１５の上部にジャッキボルト２０が配置され、ボルト２１の上面が工作機械を支持可能な支持面２１ａとなっているが、ジャッキボルト２０を用いることなく、台座１５の上部に工作機械を支持可能な支持面が形成されていてもよい。ただし、この場合は、クレーンやフォークリフト等を使用して工作機械を持ち上げる必要がある。
【００２７】
また、本実施形態においては、ケース１０の壁部１２に調整ボルト３０〜３７が設けられ、調整ボルト３０〜３７を用いて台座１５を押圧して移動させているが、調整ボルト３０〜３７を用いることなく、工作機械を直接押す等の他の手段を採用してもよい。
【００２８】
以上において、本発明の工作機械用移動台車を実施形態に即して説明したが、本発明はこれらに制限されるものではなく、本発明の技術的思想に反しない限り、適宜変更して適用できることはいうまでもない。
【図面の簡単な説明】
【００２９】
【図１】実施形態の移動台車の正面図。
【図２】実施形態の移動台車に係り、図１におけるＩＩ−ＩＩ矢視断面図。
【図３】実施形態の移動台車に係り、トランスファマシンの据付けを示す図。
【図４】従来のトランスファマシンの据付けを示す図。
【符号の説明】
【００３０】
１…移動台車、１０…ケース、１１…転動面、１２…壁部、１３…上蓋、１５…台座、１８…ボール、２０…ジャッキボルト、２１ａ…支持面、３０〜３７…調整ボルト。
【図１】
2009214209.tif 000003
【図２】
2009214209.tif 000004
【図３】
2009214209.tif 000005
【図４】
2009214209.tif 000006